(57)【特許請求の範囲】
【請求項１】
シュラウドと、
該シュラウドによって支持された複数のウエハであって、該複数のウエハの各ウエハが、第１の端子対及び第２の端子対を支持する絶縁性フレームを含み、前記第１の端子対及び第２の端子対の各々が、差動対を形成する、第１の信号端子及び第２の信号端子を有し、該第１の信号端子及び第２の信号端子の各々が、接点、尾部、及びそれらの間に延在する本体を有し、前記第１の信号端子及び第２の信号端子の本体が縁結合されており、各ウエハが、前記信号端子の本体に沿って延在するＵチャネルを提供する接地シールドを含み、前記Ｕチャネルは３つの側面上で前記端子対を遮蔽し、前記ウエハが、別個の接地シールドを省略し、隣接した端子対のＵチャネルが、接続フレームと電気的に接続されている、複数のウエハと、
複数のＵシールドであって、該複数のＵシールドの各々が、前記シュラウドによって支持されており、前記端子対のうちの１つの接点を部分的に遮蔽するように配設されており、前記Ｕシールドが、前記対応する端子対と関連付けられた前記Ｕチャネルに電気的に接続されている、複数のＵシールドと、を備える、バックプレーンコネクタ。
【請求項２】
前記シュラウド内に位置付けられているインサートを更に備え、該インサートが、前記複数のＵシールドを前記対応する接地シールドに電気的に接続する導電素子を含む、請求項１に記載のバックプレーンコネクタ。
【請求項３】
前記接地シールドの各々が、複数の接続フレームを含み、該接続フレームが、隣接したＵチャネルの間に延在する、請求項２に記載のバックプレーンコネクタ。
【請求項４】
前記接点が、水平に配設され、３つの側面上で前記Ｕシールドによって遮蔽され、前記Ｕチャネルは、各端子対が３つの側面上で、前記尾部から前記接点までの距離の実質的に全体で実質的に遮蔽されるように、３つの側面上で前記端子対を遮蔽する、請求項３に記載のバックプレーンコネクタ。
【請求項５】
共通化機能を有する尾部アライナを更に含む、請求項４に記載のバックプレーンコネクタ。
【請求項６】
シュラウドと、
該シュラウド内に位置付けられたインサートであって、導電素子を有する、インサートと、
前記シュラウドによって支持され、かつ前記インサートに係合する複数のウエハであって、該複数のウエハの各ウエハが、第１の端子対及び第２の端子対を支持する絶縁性フレームを含み、前記第１の端子対及び第２の端子対の各々が、差動対を形成する、第１の信号端子及び第２の信号端子を有し、該第１の信号端子及び第２の信号端子の各々が、接点、尾部、及びそれらの間に延在する本体を有し、前記第１の信号端子及び第２の信号端子の本体が、前記差動的に結合された端子対を提供するように縁結合されており、各ウエハが、前記信号端子の本体に沿って延在するＵチャネルを提供する接地シールドを含み、前記Ｕチャネルは３つの側面上で前記端子対を遮蔽し、前記ウエハが、別個の接地シールドを省略し、該接地シールドが、前記インサートに係合する、複数のウエハと、
前記インサート内に位置付けられた複数のＵシールドであって、該複数のＵシールドの各々が、前記端子対のうちの１つの接点を部分的に遮蔽するように配設されており、前記Ｕシールドが、前記インサートを介して前記対応する端子対と関連付けられた前記Ｕチャネルに電気的に接続されている、複数のＵシールドと、を備える、バックプレーンコネクタ。
【請求項７】
前記接地シールドの各々が、複数の接続フレームを含み、該接続フレームが、隣接したＵチャネルを電気的に接続する、請求項６に記載のバックプレーンコネクタ。
【請求項８】
前記Ｕシールドの各々が、前記接点上のスタブと整合された開口を含み、該開口が、前記接点が前記Ｕシールドに係合することなく偏向することを可能にするように構成されている、請求項７に記載のバックプレーンコネクタ。
【請求項９】
共通化機能を用いて隣接したウエハの接地シールドを電気的に接続するように構成されている尾部アライナを更に含む、請求項６に記載のバックプレーンコネクタ。
【請求項１０】
前記Ｕチャネル及びＵシールドが、３つの側面上で前記端子対を遮蔽する、請求項６に記載のバックプレーンコネクタ。
【請求項１１】
前記接地シールドに電気的に接続されている二次シールドを更に備える、請求項６に記載のバックプレーンコネクタ。
【請求項１２】
第１のコネクタであって、該第１のコネクタが、複数の第１のウエハを支持する第１のシュラウドを含み、前記第１のウエハの各々が、複数の第１の端子対を支持する第１のフレームを有し、前記第１の端子対の各々が、第１の接点、及び前記第１の端子対の各々と関連付けられ、３つの側面上で前記第１の端子対の各々を遮蔽する第１のＵチャネルを提供する第１の接地シールドを含み、前記第１のコネクタが、前記第１の端子対の間の接地端子を省略しており、前記接地シールドの各々に取り付けられた二次シールドを含む、第１のコネクタと、
複数のＵシールドであって、該Ｕシールドの各々が、前記第１の端子対のうちの１つの第１の接点を遮蔽するように構成されている、複数のＵシールドと、
前記第１のコネクタに嵌合された第２のコネクタであって、該第２のコネクタが、複数の第２のウエハを支持する第２のシュラウドを含み、前記第２のウエハの各々が、複数の第２の端子対を支持する第２のフレームを有し、前記第２の端子対の各々が、第２の接点、及び前記第１の端子対の各々と関連付けられた第１のＵチャネルを提供する第１の接地シールドを含み、前記第１のコネクタが、前記第１の端子対の間の接地シールドを省略している、第２のコネクタと、を備える、コネクタシステムであって、２０ＧＨｚで測定されるとき、少なくとも４５ｄＢの挿入損失のクロストークに対する比（ＩＣＲ）を提供するように構成されている、コネクタシステム。
【請求項１３】
反射損失が−１５ｄＢ未満である、請求項１２に記載のコネクタシステム。
【請求項１４】
各接地シールドに電気的に接続されている二次シールドを更に備える、請求項１３に記載のコネクタシステム。
【請求項１５】
２８ＧＨｚで測定されるとき、前記ＩＣＲが少なくとも４５ｄＢである、請求項１４に記載のコネクタシステム。
【発明の詳細な説明】
【技術分野】
【０００１】
関連出願
本出願は、参照によりその両方の全体が本明細書に組み込まれる、２０１５年１２月１４日に出願された米国仮特許出願第６２／２６６，９２４号、及び２０１６年３月９日に出願された米国仮特許出願第６２／３０５，９６８号に対する優先権を主張するものである。
【０００２】
本開示は、高データ速度用途での使用に好適なコネクタの分野に関する。
【背景技術】
【０００３】
バックプレーン用途における使用に限定されないバックプレーンコネクタは、概して、ある特定の機械的特徴を提供することを満たすように設計されている。共通機能は、線形インチあたりの多数のピン、機械的堅牢性、及び高データ速度を支持する能力を含む。より古いコネクタが好適であるいくらかの用途が存在する一方で、バックプレーン用途のために設計された新しいコネクタは、現在、少なくとも２５Ｇｂｐｓのデータ速度を支持することを予期され、ある特定の用途は、５６Ｇｂｐｓと同じくらい高いデータ速度に拡張することを目指している。
【０００４】
バックプレーンコネクタは、様々な異なる構成において提供されることが可能である一方、多くの場合、メザニン構成（２つの平行した回路基板を支持する）又は直交構成（互いに直交する２つの回路基板を支持する）のどちらかにおいて提供されることになる。直交構成は、底部主回路基板、及び互いと平行して位置付けられるが、該主回路基板に直交であるいくらかの第二次回路基板（多くの場合、ドーターカードと称される）を可能にするので、より共通している。各ドーターカードは、所望の処理機能性を提供する１つ以上の集積回路（ＩＣ）を支持し得る。
【０００５】
直交構成に関する１つの問題は、第１の直角コネクタから、第１の直角コネクタから９０度で回転する第２の直角コネクタまで、変換する必要性があることである。これは、典型的には、２つの直角コネクタの間のアダプタ部片を使用して達成されてきた。１つの共通構成は、２つのヘッダコネクタが回路基板の両側に取り付けられた回路基板からなるアダプタ片を有することであった。ヘッダコネクタの各々は、４５度回転を提供し、所望の９０度回転を集合的に提供する。信号完全性（データ速度が増加するにつれて、より問題となる）に関連した問題により、アダプタにおける回路基板の使用はより望ましくない。結果として、改善された性能を提示する改善されたアダプタが開発されてきた。しかしながら、各嵌合インターフェースが、信号反射及び更なる信号損失の可能性を提供し、したがって更なる改善が理解されるであろうことが分かる。
【発明の概要】
【課題を解決するための手段】
【０００６】
コネクタシステムは、望ましい信号完全性を提供するように構成され得る。コネクタシステムは、９０度直角構成を提供し得る第１のコネクタを含み、嵌合インターフェースにおいて９０度捻れを有する直角構成を含む第２のコネクタを含む。一緒に嵌合されるとき、第１のコネクタ及び第２のコネクタは、性能及びコスト改善を提示する直交配設を提供する一方で、信号対が、１つの基板から別の基板まで単一のインターフェース接合と通信することを可能にする。理解され得るように、Ｕ字形接地シールドは、各信号端子対に提供され得る。シールドは、電気的性能を改善するために、各ウエハ上に更に提供され得る。描写された構成は、高密度パッケージにおいて高データ速度を可能にする一方で、構成部品の数を最小化し、望ましい信号完全性を提供する。
【図面の簡単な説明】
【０００７】
本開示は、添付図面において、一例として図解され、限定されるものではなく、図面中、同様の参照番号は、類似の要素を示す。
【０００８】
【図１】コネクタシステムの斜視図である。
【図２】図１に描写される実施形態の部分分解斜視図である。
【図３】図２に描写される１つのコネクタの斜視図である。
【図４】図３に描写される実施形態の部分分解斜視図である。
【図５】図２に描写される別のコネクタの斜視図である。
【図６】図５に描写される実施形態の部分分解斜視図である。
【図７】非嵌合状態の図１のコネクタシステムの実施形態の簡略斜視図である。
【図８】コネクタが嵌合された図７に描写される実施形態の斜視図である。
【図９】図８に描写される実施形態の簡略斜視図である。
【図１０】図９に描写される実施形態の簡略斜視図である。
【図１１】図１０に描写される実施形態の拡大斜視図である。
【図１２】図１１に描写される実施形態の別の斜視図である。
【図１３】図１２に描写される実施形態の別の斜視図である。
【図１４】図１３の線１４−１４に沿ってとられた斜視断面図である。
【図１５】図１４に描写される実施形態の拡大斜視図である。
【図１６】図１４に描写される実施形態の別の斜視図である。
【図１７】嵌合インターフェースの実施形態と関連付けられた特徴の斜視図である。
【図１８】図１７に描写される実施形態の簡略斜視図である。
【図１９】図１８の線１９−１９に沿ってとられた斜視断面図である。
【図２０】図１８に描写される実施形態の部分分解斜視図である。
【図２１】図２０に描写される実施形態の簡略斜視図である。
【図２２】コネクタシステムのアセンブリの簡略斜視図である。
【図２３】図２２に描写される実施形態の拡大斜視図である。
【図２４】図２３の線２４−２４に沿ってとられた断面の斜視図である。
【図２５】図１３の線２５−２５に沿ってとられた斜視断面図である。
【図２６】図２５の線２５−２５に沿ってとられた斜視断面図である。
【図２７】ウエハの実施形態の部分分解斜視図である。
【図２８】図２７に描写されるウエハと類似のウエハから形成されるコネクタの実施形態の斜視断面図である。
【図２９】角度のある尾部を有する接地シールドを有するコネクタの実施形態の斜視図である。
【図３０】ウエハの実施形態の部分分解簡略斜視図である。
【図３１】接点を描写するウエハの一部の斜視簡略図である。
【図３２】図３１に描写されるような接点を有するウエハを含むコネクタシステムの実施形態の嵌合インターフェースの斜視断面図である。
【図３３】ウエハの実施形態の簡略立面側面図である。
【図３４】低速端子に係合する低速ウエハの簡略斜視図である。
【図３５】コネクタの実施形態の嵌合インターフェースの斜視図である。
【図３６】Ｕシールドに係合する接地シールドの実施形態の斜視図である。
【図３７】図３６に描写される実施形態の斜視簡略図である。
【図３８】分離された送受信信号端子を有するコネクタシステムの部分分解斜視図である。
【図３９】図３８に描写される実施形態の別の斜視図である。
【図４０】図３８に描写される実施形態の別の斜視図である。
【図４１】一緒に嵌合される２つのウエハの実施形態の簡略斜視図である。
【図４２】図４１に描写される実施形態の拡大斜視図である。
【図４３】非嵌合の構成においてウエハを有する図４１に描写される実施形態の斜視図である。
【図４４】互いに隣接して位置付けられた２つのウエハの実施形態の斜視図である。
【図４５】フレームが図解の目的のために省略されたウエハの実施形態の簡略斜視図である。
【図４６】信号端子が図解の目的のために省略された図４５に描写される実施形態の斜視図である。
【図４７】図４５に描写される実施形態の拡大斜視図である。
【図４８】図４６に描写される実施形態の拡大斜視図である。
【図４９】コネクタの実施形態に関する２８ＧＨｚにおける挿入損失の概略図である。
【図５０】コネクタの実施形態に関する２８ＧＨｚにおける反射損失の概略図である。
【図５１】コネクタの実施形態に関する２８ＧＨｚにおける近端クロストーク（ＮＥＸＴ）の概略図である。
【図５２】コネクタの実施形態に関する２８ＧＨｚにおける遠端クロストークの概略図である。
【発明を実施するための形態】
【０００９】
以下の「発明を実施するための形態」は、例示的な実施形態を説明するものであり、明示的に開示された組み合わせに限定することを意図しない。したがって、別途記載のない限り、本明細書で開示される特徴は、一緒に組み合わせて、簡潔さのために別途示されることがなかった、更なる組み合わせを形成することができる。
【００１０】
描写された構成は、第１のコネクタ及び第２のコネクタを有するバックプレーン構成において使用され得るコネクタシステムを提供するために使用され得る特徴を図解する。第１のコネクタは、直角コネクタであり得る。第２のコネクタは、９０度の捻れを有する直角コネクタであり得る。理解され得るように、第２のコネクタが、ブランクにされて形成される接点を有する信号端子を含むことにより、前記捻れは可能である。更に理解され得るように、接地シールドは、遮蔽を提供することを補助する一対の信号端子を少なくとも部分的に囲むＵ字形遮蔽配設において提供される。描写された実施形態では、Ｕ字形遮蔽構成は、端子経路の全長に沿って、第１の回路基板から嵌合インターフェースまで、及び嵌合インターフェースから第２の回路基板まで実質的に提供され、遮蔽が、第１のコネクタの信号端子と第２のコネクタの信号端子との間の嵌合インターフェースにおいても存在し、このように、特定の端子対の３つの側面上の遮蔽を可能にする。このように、描写された構成は、潜在的に高い実行及び好適な高密度構成を提供する。
【００１１】
図に戻ると、コネクタシステム１０の実施形態は、互いに直交に位置付けられる第１の回路基板６及び第２の回路基板８の間の接続を含む。具体的には、コネクタ１００は、回路基板８上に取り付けられており、回路基板６上に取り付けられたコネクタ２００に嵌合するように構成されている。コネクタ１００は、複数のウエハ１５０を含むウエハセット１４０を支持することを補助するシュラウド１１０を含み、前記複数のウエハ１５０の各々は、以下に考察されるように、端子を支持する、絶縁性材料から形成されるフレーム１５５を含む。追加の安定性及び性能を提供することを補助するために、コネクタ１００は、複数のＵシールド１２５を支持するインサート１２０を含む。インサート１２０は、第１の面１２１ａ及び第２の面１２１ｂを含む。めっきプラスチックであり得、かつ接地シールドの間の電気的共通化機能を有し得る尾部アライナ１３０は、尾部を支持することを補助するように提供され得る一方で、複数の櫛部１１２は、所望の整合及び向きにおいてウエハセット１４０を保持することを補助するために使用され得る。
【００１２】
理解され得るように、シュラウド１１０は、支持する回路基板に接続されるように構成され得、所望される場合、回路基板に固定され得る。シュラウド１１０の構造は、櫛部１１２の使用と組み合わせて、追加の筐体の排除が、ウエハセット１４０を支持することを可能にする。
【００１３】
インサート１２０が、シュラウド１１０において取り付けられた別個の構成部品として描写されることに留意されたい。インサート１２０は、絶縁性材料から形成され得、以下に考察されるように、インサート１２０が、接地シールド１６０にＵシールド１２５を電気的に接続することを可能にする導電路（別個の端子又はめっきを介して所望の方式で形成され得る）を含む。好ましい大容量施工法と関連付けられた製造制限により、インサート１２０が、シュラウド１１０とは別個の部片であることが予期されるが、そのような構成は要求されず、このように、インサート１２０はまた、所望される場合、シュラウド１１０と一体的に形成され得る。このように、シュラウド１１０は、接地シールドにＵシールドを電気的に接続する導電路を含み得る。
【００１４】
Ｕシールド１２５は、頂壁１２５、２つの対向する側壁１２５ｂ、及び嵌合端１２７を含み、側壁１２５ｂは、縁１２５ｃを有する。描写されるように、嵌合端１２７は、開口１２４を通してインサート１２０に係合するように構成されており、前記開口１２４は、第２の面１２１ｂ上にあって、第１の面１２１ａ上の開口１２２とは異なるように構成され得る。具体的には、開口１２４は、嵌合端１２７を受容するポケット１２６を含み得る。
【００１５】
コネクタ２００は、コネクタ１００に類似の方式で構築され得、ウエハセット２４０を支持することを補助するシュラウド２１０を含む。コネクタ２００は、尾部アライナ２３０を更に含み、尾部アライナ２３０は、めっきプラスチックであり得、共通化機能を有し得、ウエハセット２４０において一緒に複数のウエハ２５０を保持することを補助する一方で、複数の櫛部２１２は、所望の整合及び構成においてウエハセット２４０を保持することを補助するために使用され得る。各ウエハ２５０は、以下に考察されるように、端子を支持するための絶縁性フレーム２５５を含む。
【００１６】
両方のコネクタ１００、２００は、両方とも直角のコネクタであるので、コネクタは、ウエハ１５０、２５０を介して回路基板６及び８の間の接続を可能にする。回路基板６及び８が、直交する方式で整合されることが理解され得る。典型的には、２つの直交に向けられた回路基板を結合するように構成されている２つの直角コネクタは、一方の直角コネクタにおける接点の他方の直角コネクタの接点への整合をマッピングすることになるある種の中間コネクタを要求することになる。描写されたシステムは、そのような中間コネクタなしで機能する。
【００１７】
理解され得るように、信号端子１７２ａ、１７２ｂは、絶縁性フレーム１５５によって支持される端子対１７０を形成する。信号端子の各々は、接点１７４ａ、尾部１７４ｂ、及びそれらの間に延在する本体１７４ｃを含む。信号端子１７２ａ、１７２ｂの本体１７４ｃは、一緒に結合されて、差動対を形成し、描写されるように、垂直縁結合された構成を提供するように配設されている。各々の信号端子１７２ａ、１７２ｂは、依然として縁結合されている、垂直の向きから水平の向きまでの移行を提供する折り畳まれた区分１７５を含む。各絶縁性フレーム１５５は、典型的には、複数の端子対１７０（典型的には、そのような４つ以上の対である。上限が製造許容差として到達され、かつ反りに関する問題が、１５又は２０の端子対などの対の極端に高い数を防止することを予期されることが理解される）を支持するように構成されていることになる。上記したように、各端子対１７０は、縁から縁までの構成において整合される２つの端子の本体１７４ｃを有し、そのため、端子がウエハ１５０にインサート成形されるとき、端子の離間は慎重に制御され得る。当然、直角コネクタにおいて、上部端子対は、底部端子対よりも長い傾向があるが、そのような配設は当該技術分野で周知である。
【００１８】
端子対１７０は、信号端子２７２ａ及び２７２ｂによって提供される端子対２７０と嵌合するように構成されており、具体的には、端子対１７０は、端子対２７０と接続し得るように、インサート１２０において開口１２２を通して延在する。信号端子２７２ａ、２７２ｂの各々は、接点２７４ａ、尾部２７４ｂ、及びそれらの間に延在された本体２７４ｃを含む。端子対２７０は、信号端子２７２ａ、２７２ｂの差動対をこのように提供し、これらの信号端子の本体２７４ａは縁結合される。
【００１９】
より高い性能（非ゼロ復帰（ＮＲＺ）コード化を使用して、１５Ｇｂｐｓ超、より好ましくは２０Ｇｂｐｓ超）に好適な典型的な縁から縁まで結合された端子構成において、ウエハにおける各隣接した端子対は、接地端子によって分離されることになる。接地端子は、ウエハにおいて隣接した端子対の間のシールドの働きをして、また復路を提供し得、このように、接地端子の使用は、それが、それらの隣接した対の間のクロストークを防止することを補助するので、概して、より高いデータ速度（１５Ｇｂｐｓ超の速度）において非常に望ましいものとして受容される。そのような構成が効果的である一方、接地端子及び信号端子の両方が嵌合コネクタに接続される必要がある（そうでなければ、非嵌合の端子は、非常に望ましくない電気的性能を提供するであろう）ので、該構成は追加の空間を占める。これは、嵌合インターフェースの密度を増加させることを試みるとき、限定的であることが分かる。
【００２０】
描写された実施形態は、ウエハにおいて隣接した端子対の間の接地端子の使用を回避する一方で、ＮＲＺコード化を使用して少なくとも２０Ｇｂｐｓの高データ速度を依然として支持する。その代わりに、接地シールド１６０、２６０は、フレーム１５５、２５５に取り付けられ、接地シールド１６０、２６０は、端子対１７０、２７０（それぞれ）の周りでＵチャネル１６２、２６２を提供する。理解され得るように、接地シールド１６０、２６０は、端子対１７０、２７０に側面結合を提供し、復路を提供する一方で、また、同じウエハにおいて、及び隣接したウエハにおいて、隣接した端子対から端子対１７０、２７０を遮蔽することを補助する。
【００２１】
接地シールド１６０は、インサート１２０に挿入される端部１６３を含み、接続フレーム１６１は、隣接したＵチャネル１６２の間の電気的接続を提供する。接地シールド２６０はまた、隣接したＵチャネル２６２の間の類似の電気的接続を提供する接続フレーム２６１を含む。このように、Ｕチャネル１６２、２６２は、１つ以上の位置において一緒に共有化されて、共有化点の間の電気的長さを減少させ得る。そのような特徴は、高周波数に対する共有化された位置の間に形成し得る任意の共振をシフトすることを減少させる傾向があり、それは、次に、共振を解析周波数範囲からシフトさせる。信号の意図された周波数に従い、追加のコネクタフレーム位置は提供され得る。
【００２２】
理解され得るように、したがって、Ｕチャネル１６２及びＵシールドは、実質的に連続な方式において、尾部から接点まで端子対１７０に３面シールドを提供する。
【００２３】
描写されるように、第１のコネクタ１００及び第２のコネクタ２００の信号端子の両方が、（図２０から理解され得るように）スタブ１７３、２７３を有するように、嵌合インターフェースは二重偏向接点を含む。そのような構成が電気的性能に有益である一方で、単一の偏向接点（及び対応するスタブ）を有する構成を有する代替の構成も想到される。描写されるものなどの二重接点構成を嵌合インターフェースの一部のために使用するとき、二重信号パス領域１９９が存在し、該二重信号パス領域１９９は、Ｕシールド１２５によって保護される。Ｕシールド１２５は、端末スタブ１７３に間隙を提供することを補助する１つ以上の切欠１２９を含み得る。
【００２４】
上記したように、Ｕチャネル１６２は、端部１６３を使用して、インサート１２０（又はシュラウド１１０）において提供された導電素子１２３を介してＵシールド１２５を接続する。導電素子１２３は、インサート１２０によって支持される別個の端子であり得る（実施形態では、インサート１２０にインサート成形され得る）か、又は付加的な製造技法を使用してインサート１２０上に形成される導電性めっきであり得る。このように、導電素子１２３を形成するいずれの望ましい方法も好適である。導電素子１２３は、Ｕシールド１２５と直接接触し得、したがって、接地シールド１６０とＵシールド１２５との間の電気的連続性が確実にされる。
【００２５】
接地シールド２６０は、Ｕシールド１２５と電気的に接触するように構成されている。指部２６６は、高信頼の電気的接続が形成され得るように、好ましくは、Ｕシールドの対向する側壁１２５ｂ上でＵシールド１２５に係合するために提供される。所望される場合、各側壁１２５ｂ上の複数の接点が提供され得る。接地シールド２６０はまた、スタブ２７３に空間を提供するカットアウト２６４を含み得る。改善された電気的性能を提供するために、Ｕチャネル２６２は、接地シールド１２５の前縁１２５ａを過ぎて延在する端部２６９を有し得、そのため、Ｕシールド１２５とＵチャネル２６２との間の部分的な重複部分が存在する。
【００２６】
図２７〜図４８から理解され得るように、代替的なかつ選択的な特徴は、図１〜図２６に描写されたコネクタ及びコネクタシステム上の変形を提供するために使用され得る。
【００２７】
具体的には、ウエハ３５０（ウエハ２５０と取り替え得る）は、信号端子３７２ａ及び信号端子３７２ｂから形成された端子対３７０を支持するフレーム３５５を含み得る。信号端子の各々は、接点３７４ａ、尾部３７４ｂ、及びそれらの間に延在する本体３７４ａを含むことになる。ウエハ３５０は、接続フレーム３６１の使用と共有化されるＵチャネル３６２を有する接地シールド３６０を含む。
【００２８】
二次シールド３９０が、ウエハ３５０に追加されて、クロストークの改善を提供し得、直接接地シールド３６０に対して押し付けられ得ることが分かる。接地シールド１６０が優れた遮蔽をすでに提供するので、二次シールド３９０の使用が遮蔽における有意な改善を提供しない一方で、二次シールド３９０が、そうでなければ存在する可能性のある共振を減少させ得ることが判定されている。加えて、二次シールド３９０は、突起３５９を用いてウエハのフレーム３５５に容易に固定され得、該突起３５９は、開口３９１を留め付ける際の杭止め動作によって形成され得、このように、ウエハに望ましい剛性化を提供する。二次シールド３９０は、はんだ付け、溶接、及び導電性接着剤を含むが、それらに限定されない従来の技法を用いて、接地シールド３６０に接続され得、接地シールド３６０の大半を被覆し得る。
【００２９】
接地シールド３６０は、コネクタの取り付け面上の尾部３６７からコネクタの嵌合面上の接点まで延在し得る。接地シールド３６０の尾部３６７は、対応する端子対２７０に対する尾部２７４ｂとの実質的な線形方式において配設され得、端子対２７０の２つの側面上に位置付けられ得るが、接地尾部３６７を用いて、信号尾部と比較して約４５度の角度で配設されて、フットプリントにおける改善された電気的性能を提供することを補助し得る一方で、対応する回路基板において信号トレースの望ましいルーティングを可能にする。めっきプラスチックフレーム３３０は、様々な接地シールド３６０（信号端子の縁結合された差動対に対する基準接地の働きもする）を共有化することを補助し得る。
【００３０】
理解され得るように、接地シールド３６０は、複数の指部３６６ａ、３６６ｂ、及び３６６ｃを有し、該複数の指部は、好ましくは、指部３６６が、反対側にあり及び／又は互いに直交する方向にある表面と嵌合するように構成されているような方向に延在する。当然、角度は、対応するＵシールド構成に従い、完全に対角でも直交でもない場合がある。図３１に描写される実施形態では、接点３６６ｃは、第１のＵシールドの側壁１２５ｂに係合するように構成されている一方で、接点３６６ａは、第１のＵシールドの縁１２５ｃに係合するように構成されており、接点３６６ｂは、１つ以上の異なるＵシールドの頂壁１２５ａに係合するように構成されている。要求されないが、接地シールド３６０の指部３６６を複数のＵシールドに接続させることは、嵌合インターフェースにおけるＵシールドを共有化することを補助し、改善された電気的性能を提供する。
【００３１】
端子対３７０におけるオフセットスタッガーのため、一つおきの信号ウエハは、コネクタ（コネクタ１００など）の上側において、いくつらかの余分な空間を有する。実施形態では、空間は片端接地の端子４１０で満たされ得る。片端接地の端子４１０は、接点４１５を有し、基準接地として隣接したウエハの接地シールド３６０を使用し得、このように、描写されたコネクタシステムは、端子対（ＮＲＺコード化を使用して５６Ｇｂｐｓまで支持することが意図される）を用いて望ましい電気的性能を提示する仕方を提供し、低速信号に有用な片端接地の端子を依然として提供する。図３４によって理解され得るように、描写された設計の１つの興味深い特徴は、低速ウエハ３９５が嵌合コネクタにおいて提供され得、片端接地の端子４１０が、低速ウエハにおける基準接地シールドとして、縁結合された端子を使用し得ることである。このように、システムは、側面結合から縁結合に移行する片端接地の通信リンクを可能にする。
【００３２】
図３８〜図４０から理解され得るように、コネクタ構成には、回路基板６上に位置付けられたコネクタ６００と嵌合する回路基板８上に位置付けられたコネクタ５００が提供され得る。コネクタ５００及び６００は、本明細書に考察される他の特徴を含み得る一方で、対応するコネクタシステムは、送受信チャネルを分離する。インターフェースにおいて、嵌合壁６１２は、コネクタ６００上に提供される一方で、対応する間隙５１２は、コネクタ５００において提供される。ウエハは、コネクタ５００に対するウエハにおいて信号端子が提供されない空隙５１４を含み得る一方で、コネクタ６００は、（信号端子なしのウエハ、又はウエハの完全な省略であり得る）ブランク６１４を提供し得る。シュラウド５１０は、一緒にコネクタを保持することを補助する肩部５１８を含み得る一方で、コネクタ６００は、端子を支持するＴ字形櫛部を含み得、また回路基板６に終端され得る。描写されるように送信チャネル及び受信チャネルを離間することによって、近端クロストーク（ＮＥＸＴ）が、潜在的に約５ｄＢというかなりの量を改善し得ることが判定されている。
【００３３】
図４１〜図４８は、上に参照されたコネクタのうちの１つにおける使用に好適であるとされるウエハの代替の構成を図解する。具体的には、ウエハ７５０は、ウエハ８５０と嵌合するように構成されている。両方のウエハは、フレーム７５５、８５５を含み得、（上に考察されるように杭止めされ得る）突起７５９を介してフレーム７５５に留め付けられる二次シールド７９０などの二次シールドを含み得る点において、ウエハ３５０に類似である。
【００３４】
ウエハ８５０は、端子対７７０と嵌合する端子対８７０を支持する。上に考察されるように、Ｕシールド１２５は、嵌合インターフェースを遮蔽して、かつ復路を提供するように提供される。主要な違いは、上に考察されるように、尾部７６７、Ｕチャネル７６２、及び接続フレーム７６１を含む接地シールド７６０は、指部７６６ａ及び７６６ｂを含むということである。指部７６６ａは、端子対を囲むＵシールド１２５の側壁１２５ｂに係合するように構成されている一方で、指部７６６ｂは、隣接したＵシールド１２５の頂壁１２５ａに係合するように構成されている。上記したように、これは、嵌合インターフェースにおいてＵシールドの共有化を可能にし、システムの性能を改善することを補助する。
【００３５】
図４９〜図５２から理解され得るように、尾部から尾部まで２つの嵌合されたコネクタのみを見るときのコネクタシステムの性能は、本明細書に描写される全ての改善及び特徴を使用するとき有意であり得る。具体的には、２８ＧＨｚの信号周波数において、挿入損失（ＩＬ）は−２ｄＢ未満であり得、反射損失（ＲＬ）は少なくとも−１５ｄＢ未満であり得、近端クロストーク（ＮＥＸＴ）及び遠端クロストーク（ＦＥＸＴ）の両方は、少なくとも−４７ｄＢ未満であり得る。これは、少なくとも２８ＧＨｚにおいて、４５ｄＢの挿入損失のクロストークに対する比（ＩＣＲ）を提供する。当然、ある特定の特徴が取り除かれるならば、性能は低下され得、４５ｄＢのＩＣＲはより低い周波数において存在する可能性がある。例えば、二次シールドを取り除くことによって、２０ＧＨｚまでの上記の性能結果のみを得る可能性がある。
【００３６】
描写された実施形態が直交構成を図解することに留意されたい。単純な直角対直角構成が所望されるならば、９０度回転は省略され得る。同じ基本的な構成はまた、垂直対垂直（例えば、メザニンスタイル）コネクタのために使用され得る。このように、描写された実施形態は、広範囲にわたるコネクタ構成のために使用され得る技術的解決策を提供する。
【００３７】
本明細書で提供される開示は、その好ましい例示的な実施形態の観点で特徴を説明している。添付の請求項の範囲及び趣旨の範囲内で、数多くの他の実施形態、修正、及び変形が、本開示の検討から当業者に想起されるであろう。
【図１】
0006718961.tif 000002
【図２】
0006718961.tif 000003
【図３】
0006718961.tif 000004
【図４】
0006718961.tif 000005
【図５】
0006718961.tif 000006
【図６】
0006718961.tif 000007
【図７】
0006718961.tif 000008
【図８】
0006718961.tif 000009
【図９】
0006718961.tif 000010
【図１０】
0006718961.tif 000011
【図１１】
0006718961.tif 000012
【図１２】
0006718961.tif 000013
【図１３】
0006718961.tif 000014
【図１４】
0006718961.tif 000015
【図１５】
0006718961.tif 000016
【図１６】
0006718961.tif 000017
【図１７】
0006718961.tif 000018
【図１８】
0006718961.tif 000019
【図１９】
0006718961.tif 000020
【図２０】
0006718961.tif 000021
【図２１】
0006718961.tif 000022
【図２２】
0006718961.tif 000023
【図２３】
0006718961.tif 000024
【図２４】
0006718961.tif 000025
【図２５】
0006718961.tif 000026
【図２６】
0006718961.tif 000027
【図２７】
0006718961.tif 000028
【図２８】
0006718961.tif 000029
【図２９】
0006718961.tif 000030
【図３０】
0006718961.tif 000031
【図３１】
0006718961.tif 000032
【図３２】
0006718961.tif 000033
【図３３】
0006718961.tif 000034
【図３４】
0006718961.tif 000035
【図３５】
0006718961.tif 000036
【図３６】
0006718961.tif 000037
【図３７】
0006718961.tif 000038
【図３８】
0006718961.tif 000039
【図３９】
0006718961.tif 000040
【図４０】
0006718961.tif 000041
【図４１】
0006718961.tif 000042
【図４２】
0006718961.tif 000043
【図４３】
0006718961.tif 000044
【図４４】
0006718961.tif 000045
【図４５】
0006718961.tif 000046
【図４６】
0006718961.tif 000047
【図４７】
0006718961.tif 000048
【図４８】
0006718961.tif 000049
【図４９】
0006718961.tif 000050
【図５０】
0006718961.tif 000051
【図５１】
0006718961.tif 000052
【図５２】
0006718961.tif 000053